(57)【要約】【課題】部分耕耘直播装置を構成する耕耘ユニットに備える耕耘爪を逆回転駆動させる場合、耕起破砕された細かい土塊が放擲されて飛散することを防止するために大掛かりなカバーを設けなければならず、また当該カバーの内壁に付着した土の抵抗による動力損失の発生や耕耘ユニットの重量が増加するといった問題点を解消する。【解決手段】耕耘ユニット１２の耕耘軸２２に取り付けた耕耘爪２１を正回転駆動させると共に、耕耘爪２１によって耕起破砕された土塊を捕集して幅狭な耕起溝Ｄ上に適切な播種床Ｆを形成すべく、当該耕耘爪２１の後方側に整地体３４を設けた。【選択図】図１
2006325506.tif 000002
【特許請求の範囲】
【請求項１】
機体後部に備える昇降リンク機構を介して連結され、正回転駆動する耕耘爪（２１）により耕起溝（Ｄ）を形成する耕耘ユニット（１２）と、該耕耘ユニット（１２）の後方に装着された播種ユニット（１６）を備える部分耕耘直播装置（１１）において、前記耕耘爪（２１）で耕起破砕された土塊を捕集して耕起溝（Ｄ）上に適切な播種床（Ｆ）を形成すべく、当該耕耘爪（２１）の後方側に整地体（３４）を設けたことを特徴とする部分耕耘直播装置。
【請求項２】
整地体（３４）を、耕耘爪（２１）の上方を覆うロータリカバー（３１）の後端に上下回動可能に取り付けたリヤカバー（３２）の上下方向に進退調節可能に固定したことを特徴とする請求項１に記載の部分耕耘直播装置。
【請求項３】
整地体（３４）がコの字または円弧の土塊捕集形状を有することを特徴とする請求項１または請求項２に記載の部分耕耘直播装置。
【発明の詳細な説明】
【技術分野】
【０００１】
本発明は、不耕起状態の圃場を部分的に耕起して播種や施肥を行う部分耕耘直播装置に関する。
【背景技術】
【０００２】
従来、不耕起状態の圃場を部分的に耕耘して播種や施肥を行う部分耕耘直播装置は、トラクタ等の機体後部に備える昇降リンク機構を介して昇降可能に連結されると共に、当該部分耕耘直播装置は昇降リンク機構のトップリンク及びロアリンクに連結した耕耘ユニットと、この耕耘ユニットから後方に突出するツールバーに平行リンク機構を介して昇降自在に連結した施肥播種ユニットから構成されている。
【０００３】
そして、耕耘ユニットは、機体側からＰＴＯ動力が入力されるギヤケース、該ギヤケースから左右に突出する筒フレーム、該筒フレームの左右両端から下方に突出するサイドフレーム、左右のサイドフレーム間に回動可能に支承した耕耘軸（爪軸）、及び該耕耘軸の軸方向に所定の間隔を存して設けた複数の耕耘部を備えると共に、これらの耕耘部に不耕起状態の圃場を耕耘する耕耘爪を設け、当該耕耘爪を回転駆動させることによって圃場の部分耕起を可能にしたものが知られている（例えば、特許文献１参照。）。
【特許文献１】特開平１１−１０３６１６号公報（第２−４頁、図１−図３）
【発明の開示】
【発明が解決しようとする課題】
【０００４】
そして、従来の部分耕耘直播装置を構成する耕耘ユニットに備える耕耘爪を、当該部分耕耘直播装置が牽引されるトラクタ等の車輪の回転方向（正転）とは逆方向に回転駆動（逆転）させ、それによって耕起破砕する土塊を細かくして稲や麦等に適した播種床を形成できるようにしている。
【０００５】
しかし、上述の如く耕耘爪を逆転させて不耕起状態の圃場を耕耘すると、耕起破砕された細かい土塊が放擲されて飛散する量が多くなるので、部分耕起を行う条毎に耕耘爪の左右両側及び上方を覆う大掛かりなカバーを設けなければならず、また当該カバーの内壁に付着した土の抵抗による動力損失の発生や耕耘ユニットの重量が増加するといった不具合を有していた。
【課題を解決するための手段】
【０００６】
本発明は、上記課題を解決することを目的としたものであって、機体後部に備える昇降リンク機構を介して連結され、正回転駆動する耕耘爪により耕起溝を形成する耕耘ユニットと、該耕耘ユニットの後方に装着された播種ユニットを備える部分耕耘直播装置において、前記耕耘爪で耕起破砕された土塊を捕集して耕起溝上に適切な播種床を形成すべく、当該耕耘爪の後方側に整地体を設けたことを第１の特徴としている。
【０００７】
そして、整地体を、耕耘爪の上方を覆うロータリカバーの後端に上下回動可能に取り付けたリヤカバーの上下方向に進退調節可能に固定したことを第２の特徴としている。
【０００８】
そして、整地体がコの字または円弧の土塊捕集形状を有することを第３の特徴としている。
【発明の効果】
【０００９】
請求項１の発明によれば、正回転駆動する耕耘爪により耕起破砕された土塊の大部分は耕耘爪の後方に放擲されるが、この放擲される土塊を捕集して耕起溝上に適切な播種床を形成すべく、耕耘爪の後方側に整地体を設けたことによって、耕耘爪の後方に放擲される土塊の飛散を抑制しながら当該土塊を捕集して適切な播種床を形成することができると共に、従来のようにカバーの内壁に付着した土の抵抗による動力損失の発生や耕耘ユニットの重量が増加するといった不具合も解消することができる。
【００１０】
そして、請求項２の発明によれば、整地体を、耕耘爪の上方を覆うロータリカバーの後端に上下回動可能に取り付けたリヤカバーの上下方向に進退調節可能に固定したことによって、整地体の高さ位置調節を、リヤカバーの上下回動による調節と、当該整地体のリヤカバーの上下方向に対する進退調節とを併用することによって、不耕起状態の圃場における雑草の生育具合や土質に応じた適切な播種床を形成することができるようになる。
【００１１】
そして、請求項３の発明によれば、整地体がコの字または円弧の土塊捕集形状を有するので、耕耘爪の後方に放擲される土塊を効果的に捕集することがきると共に、当該整地体自体の構造の簡素化が図れる。
【発明を実施するための最良の形態】
【００１２】
次に、本発明の実施の形態を図面に基づいて説明する。図１及び図２は、トラクタ等の機体後部に備える昇降リンク機構を介して連結される部分耕耘直播装置１１の側面図及び平面図であって、当該部分耕耘直播装置１１は、前記昇降リンク機構に着脱可能に連結される耕耘ユニット１２と、この耕耘ユニット１２から後方に突出するツールバー１３に、ホルダ１４及び平行リンク機構１５を介して昇降可能に連結した播種ユニット１６を備えている。
【００１３】
耕耘ユニット１２は、トラクタ等の機体側からＰＴＯ動力が入力されるギヤケース１７と、このギヤケース１７の左右の両側には、耕耘ユニット１２の横伝動筒を兼ねる筒状アーム１８Ｌ，１８Ｒとを備え、左側筒状アーム１８Ｌの外端（左端側）には伝動ケースであるチェンケース１９、一方右側筒状アーム１８Ｒの外端（右端側）には図示しないサイドプレートを固設すると共に、チェンケース１９とサイドプレートの間に複数本の耕耘爪（ナタ爪）２１を放射状に螺設してなる耕耘軸２２を回転可能に支承した、所謂サイドドライブ方式の伝動機構を採用している。そして、耕耘ユニット１２の後方には、耕深調節用の尾輪２３をツールバー１３に支持している。
【００１４】
また、播種ユニット１６は、稲や麦等の種子を収容する種子タンク２４と、この種子タンク２４内の種子を播種部に向けて供給する図示しない種子パイプと、播種溝形成用の溝切り刃２５、更に播種溝に覆土する覆土板２６、播種溝の上部を押圧する鎮圧ローラ２７及び接地輪２８を備えている。
【００１５】
更に詳しくは、上述したギヤケース１７に入力されたＰＴＯ動力が、チェーンケース１９を介して耕耘軸２２に伝動され、この耕耘軸２２の軸方向に所定の播種条間を存して放射状に螺設した耕耘爪２１を、部分耕耘直播装置１１が牽引されるトラクタ等の車輪と同一の回転方向（正転）に正回転駆動（図中Ａ矢印方向）させることによって、不耕起状態の圃場Ｓ（図３及び図４参照）において、当該播種位置のみを部分耕起することができるようになっている。
【００１６】
そして、耕耘軸２２に放射状に螺設された耕耘爪２１は、側面視で取り付け基部から連続的に形成される外周方向に湾曲した形状の縦刃部と、この縦刃部先端部が回転方向に対して交互に左または右側方に折り曲げた折曲部を有し、このように構成した耕耘爪２１を正回転駆動させることにより図３及び図４に示す幅狭（約５０ｍｍ幅）な耕起溝Ｄを形成することができるようになっている。
【００１７】
また、耕耘爪２１の上方を覆う円弧状に形成したロータリカバー３１の後端には、支点Ｐを回動中心として図中Ｂ矢印方向に上下回動可能なリヤカバー３２を設けている。このリヤカバー３２は、ロータリカバー３１に設けた支持部材３１ａに連結するロッド３３を介して上下高さ位置（回動高さ位置）を調節することができる構成になっている。
【００１８】
更に、正回転駆動する耕耘爪２１により耕起破砕された土塊の大部分は耕耘爪２１の後方に放擲されるので、その土塊を効率よく捕集して耕起溝Ｄ上に適切な播種床Ｆ（図３及び図４参照）を形成すべく、耕耘爪２１の後方側を覆う整地体３４を、ボルト３５とナット３６を用いてリヤカバー３２の下面側から固定できるようにしてある。
【００１９】
更に、整地体３４は、リヤカバー３２の上下方向（図１に示すＣ矢印方向）に二点鎖線で示す如く進退調節することができ、上述した図中Ｂ矢印方向のリヤカバー３２の上下回動による高さ位置調節を併用することによって、不耕起状態の圃場Ｓにおける雑草の生育具合や土質に応じた適切な播種床Ｆを形成することができるようになっている。
【００２０】
即ち、整地体３４を、図３に示すように、耕耘爪２１の後方側を覆ってその後端側が徐々に狭くなるコの字の土塊捕集形状にするか、或いは、図４に示すように、耕耘爪２１の後方側を覆ってその後端側が徐々に狭くなる円弧の土塊捕集形状とし、更に当該整地体３４の側面視形状３４ａを図１に示す如く下側が広幅となるように形成することによって、耕耘爪２１の後方に放擲される土塊の飛散を抑制しながら当該土塊を効果的に捕集して適切な播種床Ｆを形成することができると共に、整地体３４自体の構造の簡素化が図れ、しかも従来のようにカバーの内壁に付着した土の抵抗による動力損失の発生や、耕耘ユニット１２の重量が増加するといった不具合も解消することができる。
【００２１】
尚、上述した整地体３４の土塊捕集形状は、コの字状よりも円弧状の方が付着する土の除去作業が容易である。また、整地体３４を、ポリアミド（ナイロン）等の熱可塑性樹脂による射出成形品で構成することによって、板金製の整地体に対する軽量化や錆の発生に誘発される土の付着量の軽減と、当該整地体３４に付着する土の除去作業の容易化を図ってもよい。
【００２２】
ところで、部分耕耘直播装置１１を構成する播種ユニット１６を取り外すと共に、耕耘ユニット１２に備える耕耘爪２１と、該耕耘爪２１が放射状に螺設された耕耘軸２２とをアッセンブリー状態で取り外して、ロータリ耕耘用の耕耘爪を螺設してなる耕耘軸をアッセンブリー状態で交換し、更にリヤカバー３２をロータリ耕耘用のリヤカバーと交換することによって、当該部分耕耘直播装置１１を構成する耕耘ユニット１２をロータリ耕耘装置として兼用することも可能である。
【図面の簡単な説明】
【００２３】
【図１】部分耕耘直播装置の側面図。
【図２】部分耕耘直播装置の一部省略平面図。
【図３】図１におけるＥ矢視図（カバー体の第一実施例）。
【図４】図１におけるＥ矢視図（カバー体の第二実施例）。
【符号の説明】
【００２４】
１１  部分耕耘直播装置
１２  耕耘ユニット
１６  播種ユニット
２１  耕耘爪
２５  溝切り刃
３１  ロータリカバー
３２  リヤカバー
３４  整地体
Ｄ    耕起溝
Ｆ    播種床
【図１】
2006325506.tif 000003
【図２】
2006325506.tif 000004
【図３】
2006325506.tif 000005
【図４】
2006325506.tif 000006